(57)【要約】【課題】凍結容器の冷却効率を高める。【解決手段】ケース固定構造３４は、凍結対象物が充填された凍結容器１４を収容するケース１０を冷凍機の冷却板４ｂに固定するための構造である。ケース１０は、凍結容器１４の出し入れを許容する開口１１を有するケース本体１０ａと、ケース本体１０ａに対して開口１１を開閉自在に塞ぐように設けられる蓋体１０ｂと、を有する。ケース固定構造３４は、磁力により互いに引き合う第１吸着部材３６および第２吸着部材３８によって、蓋体１０ｂを冷却板４ｂまたはケース本体１０ａに固定する。【選択図】図２
2020190387.tif 000002
【特許請求の範囲】
【請求項１】
凍結対象物が充填された凍結容器を収容するケースを冷凍機の冷却板に固定するためのケース固定構造であって、
前記ケースは、前記凍結容器の出し入れを許容する開口を有するケース本体と、前記ケース本体に対して前記開口を開閉自在に塞ぐように設けられる蓋体と、を有し、
前記ケース固定構造は、磁力により互いに引き合う第１吸着部材および第２吸着部材によって、前記蓋体を前記冷却板または前記ケース本体に固定することを特徴とするケース固定構造。
【請求項２】
前記第１吸着部材は前記蓋体に設けられ、前記第２吸着部材は前記冷却板に設けられて、前記磁力によって前記蓋体が前記冷却板に固定される請求項１に記載のケース固定構造。
【請求項３】
前記ケース固定構造は、前記第２吸着部材と磁力により互いに引き合う第３吸着部材をさらに備え、
前記第３吸着部材は前記ケース本体に設けられて、前記磁力によって前記ケース本体が前記冷却板に固定される請求項２に記載のケース固定構造。
【請求項４】
前記ケース固定構造は、磁力により互いに引き合う第４吸着部材および第５吸着部材をさらに備え、
前記第４吸着部材は前記蓋体に設けられ、前記第５吸着部材は前記ケース本体に設けられて、前記磁力によって前記ケース本体が前記蓋体に固定される請求項２に記載のケース固定構造。
【請求項５】
前記ケース固定構造は、前記蓋体に設けられる第１重なり部と、前記ケース本体に設けられる第２重なり部とが積層された積層部を有し、
前記第１吸着部材は前記積層部における冷却板とは反対側の面に設けられ、前記第２吸着部材は前記冷却板に設けられて、前記第１吸着部材および前記第２吸着部材により前記積層部が挟み込まれ、前記磁力によって前記蓋体および前記ケース本体が前記冷却板に固定される請求項１に記載のケース固定構造。
【請求項６】
前記ケース本体は、前記冷却板に載置され、
前記第１吸着部材は前記蓋体に設けられ、前記第２吸着部材は前記ケース本体に設けられて、前記磁力によって前記蓋体が前記ケース本体に固定される請求項１に記載のケース固定構造。
【請求項７】
前記ケース固定構造は、磁力により互いに引き合う第６吸着部材および第７吸着部材をさらに備え、
前記第６吸着部材は前記ケース本体に設けられ、前記第７吸着部材は前記冷却板に設けられて、前記磁力によって前記ケース本体が前記冷却板に固定される請求項６に記載のケース固定構造。
【発明の詳細な説明】
【技術分野】
【０００１】
本発明は、凍結容器の収容ケースを冷凍機に固定するためのケース固定構造に関する。
【背景技術】
【０００２】
従来、細胞等を長期保存する方法として、細胞等を凍結容器に入れて凍結保存する方法が知られている。細胞等の凍結保存では、凍結処理による細胞等の損傷を抑制するために、冷却速度を高精度に制御することが望まれる。したがって、一般に細胞等の凍結保存では、凍結保護剤を加えた保存液に細胞等を懸濁し、プログラムフリーザを用いて所定の冷却速度で細胞懸濁液の温度を低下させ、凍結していた。このような細胞等の凍結保存に関して、例えば特許文献１には、細胞等が充填された凍結バッグを収容し、凍結バッグを冷却するための略直方体のケースが開示されている。
【先行技術文献】
【特許文献】
【０００３】
【特許文献１】国際公開第１６／１５２５２０号
【発明の概要】
【発明が解決しようとする課題】
【０００４】
従来の細胞等の凍結保存では、凍結容器を収容したケースを冷凍機の冷却板に載置し、ケースを介して凍結容器を冷却することで細胞等を凍結していた。このような方法では、ケースを冷却板に載置した際にケースと冷却板との十分な接触が得られないことがあった。特に、開口を有するケース本体と、開口を塞ぐ蓋体とで構成されるケースの場合、蓋体と冷却板との間の熱伝導が不十分になるおそれがあった。この場合、凍結容器の冷却効率が低下してしまうおそれがある。
【０００５】
本願はこうした状況に鑑みてなされたものであり、その目的は、凍結容器の冷却効率を高める技術を提供することにある。
【課題を解決するための手段】
【０００６】
上記課題を解決するために、本願のある態様は、凍結対象物が充填された凍結容器を収容するケースを冷凍機の冷却板に固定するためのケース固定構造である。ケースは、凍結容器の出し入れを許容する開口を有するケース本体と、ケース本体に対して開口を開閉自在に塞ぐように設けられる蓋体と、を有し、ケース固定構造は、磁力により互いに引き合う第１吸着部材および第２吸着部材によって、蓋体を冷却板またはケース本体に固定する。
【０００７】
以上説明した構成要素の任意の組合せ、本発明の表現を方法、装置、システム等の間で変換したものもまた、本発明の態様として有効である。
【発明の効果】
【０００８】
本願によれば、凍結容器の冷却効率を高めることができる。
【図面の簡単な説明】
【０００９】
【図１】実施の形態１に係るケース固定構造が実装される凍結装置の模式図である。
【図２】実施の形態１に係るケース固定構造の断面図である。
【図３】実施の形態２に係るケース固定構造の断面図である。
【図４】実施の形態３に係るケース固定構造の断面図である。
【図５】実施の形態４に係るケース固定構造の断面図である。
【発明を実施するための形態】
【００１０】
以下、本発明を好適な実施の形態をもとに図面を参照しながら説明する。実施の形態は、発明を限定するものではなく例示であって、実施の形態に記述されるすべての特徴やその組み合わせは、必ずしも発明の本質的なものであるとは限らない。各図面に示される同一または同等の構成要素、部材、処理には、同一の符号を付するものとし、適宜重複した説明は省略する。また、各図に示す各部の縮尺や形状は、説明を容易にするために便宜的に設定されており、特に言及がない限り限定的に解釈されるものではない。また、本明細書または請求項中に「第１」、「第２」等の用語が用いられる場合には、特に言及がない限りこの用語はいかなる順序や重要度を表すものでもなく、ある構成と他の構成とを区別するためのものである。また、各図面において実施の形態を説明する上で重要ではない部材の一部は省略して表示する。
【００１１】
（実施の形態１）
図１は、実施の形態１に係るケース固定構造が実装される凍結装置の模式図である。凍結装置１は、筐体２と、冷凍機４と、冷却チャンバ６と、断熱扉８と、を備える。筐体２内には、冷凍機４、冷凍機４に給電するための電源部（図示せず）、冷凍機４の駆動を制御する制御部（図示せず）、配線群（図示せず）等が収容される。冷凍機４は、例えばスターリング冷凍機であり、鉛直方向に延びるシリンダ４ａと、シリンダ４ａの上端に連結される冷却板４ｂ（吸熱部）と、を有する。
【００１２】
冷却チャンバ６は、筐体２の上部に配置される。冷却チャンバ６は、上方に開口する凹部６ａを有する。凹部６ａは、ケース１０が収容される収容空間１２を画成する。冷却チャンバ６は、凹部６ａの底面と筐体２とを連通する貫通孔６ｂを有する。貫通孔６ｂには、シリンダ４ａが挿通され、凹部６ａ内に冷却板４ｂが配置される。冷却板４ｂには、ケース１０が載置される。ケース１０は、凍結対象物としての細胞等が充填された凍結容器１４を収容する。凍結容器１４は、例えば扁平な袋状容器（凍結バッグ）であり、上面および下面がケース１０に接触する。凍結容器１４は、冷却板４ｂによりケース１０を介して吸熱され、凍結される。
【００１３】
冷却チャンバ６の内部空間には断熱材（図示せず）が充填される。断熱扉８は、例えば一端が冷却チャンバ６に固定され、当該一端を中心として回動自在に設けられる。これにより、凹部６ａの開口が開閉自在に閉塞される。
【００１４】
図２は、実施の形態１に係るケース固定構造の断面図である。ケース１０は、ケース本体１０ａと、蓋体１０ｂと、を有する。ケース本体１０ａは、凍結容器１４の出し入れを許容する開口１１を有する。蓋体１０ｂは、ケース本体１０ａに対して開口１１を開閉自在に塞ぐように設けられる。蓋体１０ｂは、ケース本体とともに凍結容器１４の収容空間１６を形成する。凍結容器１４をケース１０に収容する際、凍結容器１４が開口１１を介してケース本体１０ａに載置され、その後に蓋体１０ｂによって開口１１が塞がれる。
【００１５】
ケース本体１０ａおよび蓋体１０ｂは、板部１８で構成される。板部１８は、例えばアルミニウムやアルミニウム合金等の高い熱伝導性を有する材料で構成される。板部１８は、冷却板４ｂと対向する（つまり冷却板４ｂ側を向く）第１板部２０、および第１板部２０とは反対側を向く第２板部２２を含む。また、板部１８は、第１板部２０および第２板部２２をつなぐ第３板部２４および第４板部２６を含む。また、本実施の形態のケース１０は扁平な直方体形状であり、第１板部２０および第２板部２２が２つの主表面を構成する。またケース１０は、第３板部２４および第４板部２６に加えて、残り２つの側面を構成する第５板部および第６板部（図示せず）を有する。
【００１６】
本実施の形態では、第１板部２０の外縁部を除く領域がケース本体１０ａを構成し、第２板部２２、第３板部２４、第４板部２６、第５板部、第６板部および第１板部２０の外縁部が蓋体１０ｂを構成する。また、ケース本体１０ａの全体と蓋体１０ｂの一部がケース１０の下面を構成し、蓋体１０ｂの残りの部分がケース１０の上面および側面を構成する。つまり、大まかな配置として、ケース本体１０ａは蓋体１０ｂよりも冷却板４ｂ側に配置される。蓋体１０ｂは、冷却板４ｂ側の端部に折り返し部２７を有する。折り返し部２７は、第１板部２０の外縁部で構成される。折り返し部２７は、ケース１０の側面の下端がケース内側に折り返された部分に相当し、冷却板４ｂのケース１０側を向く面に沿って延びる。
【００１７】
なお、ケース本体１０ａおよび蓋体１０ｂの配置や形状、言い換えれば、ケース１０においてケース本体１０ａを構成する領域と蓋体１０ｂを構成する領域とは、以下に説明するケース固定構造３４を実現可能な限りにおいて適宜設定することが可能である。ケース本体１０ａおよび蓋体１０ｂの配置や形状は、例えば収容空間１６への凍結容器１４の出し入れの態様等に応じて定められる。例えば、蓋体１０ｂは、第２板部２２の全体を含まず、ケース１０の一端側に偏在してもよい。この場合の一例として、蓋体１０ｂは、ケース１０の一側面を構成する第５板部と、第５板部から連続する第１板部２０、第２板部２２、第３板部２４および第４板部２６のそれぞれの一部分と、で構成されてもよい。また、ケース本体１０ａと蓋体１０ｂとは、冷却板４ｂ上で水平方向に並んでもよい。
【００１８】
また、ケース１０は、第１接触部２８と、第２接触部３０と、放熱接触部３２と、を備える。第１接触部２８は、第１板部２０における凍結容器１４が熱的に接続される部分である。第２接触部３０は、第２板部２２における凍結容器１４が熱的に接続される部分である。放熱接触部３２は、板部１８における冷却板４ｂが熱的に接続される部分である。
【００１９】
「熱的に接続される部分」は、例えば第１接触部２８であれば、凍結容器１４と第１板部２０とが直に接触する場合には、第１板部２０における凍結容器１４が（物理的に）接触する部分である。凍結容器１４と第１板部２０との間に何らかの部材が介在し、当該部材を介して凍結容器１４の熱が第１板部２０に伝わる構造の場合には、「熱的に接続される部分」は、第１板部２０において当該部材および凍結容器１４の接触部と、凍結容器１４および冷却板４ｂが並ぶ方向から見て重なる部分である。本実施の形態の第１接触部２８は、第１板部２０の中央部に配置される。
【００２０】
同様に、第２接触部３０であれば、凍結容器１４と第２板部２２とが直に接触する場合には、第２板部２２における凍結容器１４が接触する部分が「熱的に接続される部分」である。凍結容器１４と第２板部２２との間に何らかの部材が介在し、当該部材を介して凍結容器１４の熱が第２板部２２に伝わる構造の場合には、第２板部２２において当該部材および凍結容器１４の接触部と重なる部分が「熱的に接続される部分」である。本実施の形態の第２接触部３０は、第２板部２２の中央部に配置される。
【００２１】
また、放熱接触部３２であれば、板部１８と冷却板４ｂとが直に接触する場合には、板部１８における冷却板４ｂが接触する部分が「熱的に接続される部分」である。板部１８と冷却板４ｂとの間に何らかの部材が介在し、当該部材を介して板部１８の熱が冷却板４ｂに伝わる構造の場合には、板部１８における当該部材が接触する部分が「熱的に接続される部分」である。
【００２２】
第１接触部２８は、ケース本体１０ａに配置される。また、第２接触部３０は、蓋体１０ｂに配置される。また、放熱接触部３２は、ケース本体１０ａおよび蓋体１０ｂの両方に配置される。放熱接触部３２には、ケース本体１０ａに配置される第１放熱接触部３２ａと、蓋体１０ｂに配置される第２放熱接触部３２ｂと、が含まれる。第１放熱接触部３２ａは、ケース本体１０ａの外縁部に配置される。したがって、第１放熱接触部３２ａは、第１接触部２８の外周に位置する。第２放熱接触部３２ｂは、蓋体１０ｂを構成する第１板部２０の外縁部、つまり折り返し部２７に配置される。
【００２３】
凍結容器１４の熱の一部は、第１接触部２８からケース本体１０ａを介して第１放熱接触部３２ａに伝わり、冷却板４ｂに吸熱される。凍結容器１４の熱の他の一部は、第２接触部３０から蓋体１０ｂを介して第２放熱接触部３２ｂに伝わり、冷却板４ｂに吸熱される。
【００２４】
ケース固定構造３４は、凍結対象物が充填された凍結容器１４を収容するケース１０を冷却板４ｂに固定するための機構である。ケース固定構造３４は、第１吸着部材３６および第２吸着部材３８を備える。第１吸着部材３６および第２吸着部材３８は、磁力により互いに引き合う部材である。本実施の形態のケース固定構造３４は、第１吸着部材３６および第２吸着部材３８の磁力によって、蓋体１０ｂを冷却板４ｂに固定する。
【００２５】
第１吸着部材３６および第２吸着部材３８は、少なくとも一方が磁石（永久磁石）または電磁石であり、他方は磁石、電磁石または強磁性体である。第１吸着部材３６および第２吸着部材３８を構成する材料の候補としては、ネオジウム鉄ボロン磁石、フェライト磁石、アルニコ磁石などの硬磁性体や、電磁鋼板、電磁ステンレス、センダスト、軟磁性複合材料（ＳＭＣ：soft magnetic composites）などの軟磁性体が例示される。
【００２６】
本実施の形態では、第１吸着部材３６が蓋体１０ｂに設けられ、第２吸着部材３８が冷却板４ｂに設けられる。例えば、第１吸着部材３６は、ケース１０および冷却板４ｂが並ぶ方向から見て、第２放熱接触部３２ｂと重なるように配置される。より具体的には、第１吸着部材３６は、折り返し部２７の収容空間１６側を向く面に固定される。第２吸着部材３８は、冷却板４ｂにおけるケース１０とは反対側を向く面に設けられる凹部４２に収容される。
【００２７】
凹部４２は、ケース１０および冷却板４ｂが並ぶ方向から見て第２放熱接触部３２ｂと重なる領域に設けられる。第２吸着部材３８と折り返し部２７との間に冷却板４ｂの一部分が介在することで、凍結容器１４の冷却効率の低下を抑制することができる。なお、第２吸着部材３８は、冷却板４ｂのケース１０側を向く表面に設けられる凹部に収容されてもよい。この場合、第２吸着部材３８は、冷却板４ｂのケース１０側を向く表面において露出していてもよい。
【００２８】
第１吸着部材３６と第２吸着部材３８とは、ケース１０が冷却板４ｂに載置された状態で、ケース１０および冷却板４ｂが並ぶ方向から見て互いに重なり合う。第１吸着部材３６と第２吸着部材３８とは、折り返し部２７を間に挟んだ状態で磁力によって互いに引きつけ合う。この結果、蓋体１０ｂが冷却板４ｂに固定される。本実施の形態では、第１吸着部材３６および第２吸着部材３８が蓋体１０ｂの外縁部を挟むため、蓋体１０ｂをより安定的に冷却板４ｂに固定することができる。なお、第１吸着部材３６と第２吸着部材３８とは、蓋体１０ｂの外縁部の全周にわたって設けられてもよいし、間欠的に設けられてもよい。
【００２９】
また、本実施の形態のケース固定構造３４は、第２吸着部材３８と磁力により互いに引き合う第３吸着部材５０をさらに備える。第３吸着部材５０は、ケース本体１０ａに設けられる。例えば、第３吸着部材５０は、ケース１０および冷却板４ｂが並ぶ方向から見て、第１放熱接触部３２ａと重なるように配置され、ケース本体１０ａの収容空間１６側を向く面に固定される。また、第２吸着部材３８は、ケース１０および冷却板４ｂが並ぶ方向から見て第２放熱接触部３２ｂだけでなく第１放熱接触部３２ａとも重なるように設けられる。
【００３０】
第３吸着部材５０と第２吸着部材３８とは、ケース１０が冷却板４ｂに載置された状態で、ケース１０および冷却板４ｂが並ぶ方向から見て互いに重なり合う。第３吸着部材５０と第２吸着部材３８とは、ケース本体１０ａの外縁部を間に挟んだ状態で、磁力によって互いに引きつけ合う。この結果、ケース本体１０ａが冷却板４ｂに固定される。本実施の形態では、第３吸着部材５０および第２吸着部材３８がケース本体１０ａの外縁部を挟むため、ケース本体１０ａをより安定的に冷却板４ｂに固定することができる。なお、第３吸着部材５０と第２吸着部材３８とは、ケース本体１０ａの外縁部の全周にわたって設けられてもよいし、間欠的に設けられてもよい。
【００３１】
また、本実施の形態のケース固定構造３４は、第１熱伝導抑制層４０ａおよび第２熱伝導抑制層４０ｂを有する。第１熱伝導抑制層４０ａは、第１吸着部材３６と蓋体１０ｂとの間に設けられる。第２熱伝導抑制層４０ｂは、第３吸着部材５０とケース本体１０ａとの間に設けられる。例えば、第１吸着部材３６は接着剤で第１熱伝導抑制層４０ａに固定され、第１熱伝導抑制層４０ａは接着剤で蓋体１０ｂに固定される。同様に、第３吸着部材５０は接着剤で第２熱伝導抑制層４０ｂに固定され、第２熱伝導抑制層４０ｂは接着剤でケース本体１０ａに固定される。
【００３２】
第１熱伝導抑制層４０ａは、蓋体１０ｂおよび第１吸着部材３６よりも熱伝導率が低く、第２熱伝導抑制層４０ｂは、ケース本体１０ａおよび第３吸着部材５０よりも熱伝導率が低い。蓋体１０ｂと第１吸着部材３６との間に第１熱伝導抑制層４０ａが介在することで、蓋体１０ｂと第１吸着部材３６との間の熱交換、ひいては冷却板４ｂと第１吸着部材３６との間の熱交換を抑制することができる。また、ケース本体１０ａと第３吸着部材５０との間に第２熱伝導抑制層４０ｂが介在することで、ケース本体１０ａと第３吸着部材５０との間の熱交換、ひいては冷却板４ｂと第３吸着部材５０との間の熱交換を抑制することができる。これにより、第１吸着部材３６および第２吸着部材３８が凍結容器１４の冷却に与える負の影響を緩和することができる。よって、凍結容器１４の冷却効率を高めることができる。
【００３３】
本実施の形態の第１熱伝導抑制層４０ａは、蓋体１０ｂおよび第１吸着部材３６よりも熱伝導率の低い低伝熱材層で構成される。また、第２熱伝導抑制層４０ｂは、ケース本体１０ａおよび第３吸着部材５０よりも熱伝導率の低い低伝熱材層で構成される。このような低伝熱材層としては、樹脂製のシート、紙、不織布、ゴム、シリコーン、接着剤、粘着材、これらの複合体等が例示される。樹脂は発泡体であってもよい。なお、第１熱伝導抑制層４０ａおよび第２熱伝導抑制層４０ｂは省略することもできる。
【００３４】
以上説明したように、本実施の形態に係るケース固定構造３４では、磁力により互いに引き合う第１吸着部材３６および第２吸着部材３８によって、ケース１０の一部を構成する蓋体１０ｂが冷却板４ｂに固定される。具体的には、第１吸着部材３６は蓋体１０ｂに設けられ、第２吸着部材３８は冷却板４ｂに設けられて、磁力によって蓋体１０ｂが冷却板４ｂに固定される。
【００３５】
ケース本体１０ａに蓋体１０ｂが設けられ、ケース本体１０ａが冷却板４ｂに載置される場合、蓋体１０ｂが凍結容器１４で持ち上げられるなどして、ケース本体１０ａと蓋体１０ｂとの間に隙間が生じ、蓋体１０ｂと冷却板４ｂとの間の熱伝導が不十分になるおそれがある。これに対し、本実施の形態では、第１吸着部材３６および第２吸着部材３８の磁気吸引力によって、蓋体１０ｂを冷却板４ｂに吸着固定している。これにより、蓋体１０ｂと冷却板４ｂとの間の良好な熱伝導を得ることができる。
【００３６】
このため、凍結容器１４の冷却に際して、ケース本体１０ａを介した凍結容器１４の冷却だけでなく、蓋体１０ｂを介した凍結容器１４の冷却も有効に利用することができる。この結果、凍結容器１４の冷却効率を高めることができる。また、凍結容器１４内の温度ばらつきを小さくすることができる。したがって、凍結対象物である細胞等の品質のばらつきを抑制しながら、凍結対象物を一度に大量に凍結することができる。よって、凍結容器１４を解凍した際の細胞等の回収率を高めることができる。また、ねじ締結等の固定手段を用いずに蓋体１０ｂを冷却板４ｂに吸着固定できるため、作業性の低下を抑制することができる。
【００３７】
また、本実施の形態のケース固定構造３４は、第２吸着部材３８と磁力により互いに引き合う第３吸着部材５０をさらに備える。第３吸着部材５０はケース本体１０ａに設けられて、第２吸着部材３８と第３吸着部材５０との磁力によってケース本体１０ａが冷却板４ｂに固定される。これにより、ケース本体１０ａと冷却板４ｂとの間の熱抵抗をより小さくすることができ、凍結容器１４の冷却効率をより高めることができる。なお、本実施の形態では、第１吸着部材３６と第３吸着部材５０とが共通の第２吸着部材３８に対応付けられているが、第２吸着部材３８が２つに分割されて、第２吸着部材３８の各個片が第１吸着部材３６と第３吸着部材５０とに対応付けられてもよい。
【００３８】
（実施の形態２）
実施の形態２は、ケース固定構造３４を除き、実施の形態１と共通の構成を有する。以下、本実施の形態について実施の形態１と異なる構成を中心に説明し、共通する構成については簡単に説明するか、あるいは説明を適宜省略する。図３は、実施の形態２に係るケース固定構造３４の断面図である。
【００３９】
本実施の形態のケース固定構造３４において、蓋体１０ｂは、第１吸着部材３６および第２吸着部材３８の磁力によって冷却板４ｂに固定される。また、ケース本体１０ａは、第４吸着部材５２および第５吸着部材５４の磁力によって蓋体１０ｂに固定される。
【００４０】
具体的には、ケース固定構造３４は、第１吸着部材３６および第２吸着部材３８を備え、第１吸着部材３６が蓋体１０ｂに設けられ、第２吸着部材３８が冷却板４ｂに設けられる。そして、第１吸着部材３６および第２吸着部材３８の磁力によって、蓋体１０ｂが冷却板４ｂに固定される。
【００４１】
また、ケース固定構造３４は、磁力により互いに引き合う第４吸着部材５２および第５吸着部材５４を備える。第４吸着部材５２は蓋体１０ｂに設けられ、第５吸着部材５４はケース本体１０ａに設けられる。
【００４２】
例えば、蓋体１０ｂの折り返し部２７は、ケース１０の側面から連続する部分が放熱接触部３２を構成する。また、折り返し部２７は、ケース１０および冷却板４ｂが並ぶ方向から見て放熱接触部３２からケース１０の中央側に延出する先端部５６を有する。そして、先端部５６にケース本体１０ａの外縁部が載置される。第４吸着部材５２は、先端部５６におけるケース本体１０ａとは反対側を向く面に固定される。第５吸着部材５４は、ケース本体１０ａの外縁部における先端部５６とは反対側を向く面に固定される。
【００４３】
第４吸着部材５２と第５吸着部材５４とは、蓋体１０ｂによってケース本体１０ａの開口が塞がれた状態で、ケース１０および冷却板４ｂが並ぶ方向から見て互いに重なり合う。第４吸着部材５２と第５吸着部材５４とは、先端部５６およびケース本体１０ａの外縁部を間に挟んだ状態で、磁力によって互いに引きつけ合う。この結果、ケース本体１０ａが蓋体１０ｂに固定される。なお、第４吸着部材５２と第５吸着部材５４とは、ケース本体１０ａの外縁部の全周にわたって設けられてもよいし、間欠的に設けられてもよい。また、先端部５６は、ケース本体１０ａの外縁部よりも収容空間１６側に配置されてもよい。
【００４４】
本実施の形態によっても、蓋体１０ｂと冷却板４ｂとの間の熱抵抗を小さくすることができ、凍結容器１４の冷却効率を高めることができる。また、凍結容器１４からケース本体１０ａに伝わる熱は、蓋体１０ｂを介して冷却板４ｂに吸熱される。ケース本体１０ａと蓋体１０ｂとは、第４吸着部材５２および第５吸着部材５４の磁力によって密着しているため、ケース本体１０ａと蓋体１０ｂとの間の熱抵抗を小さくすることができる。これにより、凍結容器１４の冷却効率をより高めることができる。
【００４５】
（実施の形態３）
実施の形態３は、ケース固定構造３４を除き、実施の形態１と共通の構成を有する。以下、本実施の形態について実施の形態１と異なる構成を中心に説明し、共通する構成については簡単に説明するか、あるいは説明を適宜省略する。図４は、実施の形態３に係るケース固定構造３４の断面図である。
【００４６】
本実施の形態のケース固定構造３４において、蓋体１０ｂは、第１吸着部材３６および第２吸着部材３８の磁力によって冷却板４ｂに固定される。また、ケース本体１０ａは、第１吸着部材３６および第２吸着部材３８の磁力によって蓋体１０ｂとともに冷却板４ｂに固定される。
【００４７】
具体的には、ケース固定構造３４は、蓋体１０ｂに設けられる第１重なり部５８と、ケース本体１０ａに設けられる第２重なり部６０とが積層された積層部６２を有する。第１重なり部５８は、例えば蓋体１０ｂの折り返し部２７で構成される。第２重なり部６０は、ケース本体１０ａの外縁部で構成される。
【００４８】
また、ケース固定構造３４は、第１吸着部材３６および第２吸着部材３８を備える。第１吸着部材３６は、積層部６２における冷却板４ｂとは反対側の面、つまり収容空間１６側を向く面に設けられる。第２吸着部材３８は、冷却板４ｂに設けられる。本実施の形態では、第１重なり部５８が第２重なり部６０よりもケース１０外側に位置する。このため、第１吸着部材３６は、第２重なり部６０における収容空間１６側を向く面に固定される。なお、第１重なり部５８が第２重なり部６０よりもケース１０内側に位置し、第１重なり部５８の収容空間１６側を向く面に第１吸着部材３６が固定されてもよい。
【００４９】
第１吸着部材３６と第２吸着部材３８とは、ケース１０が冷却板４ｂに載置された状態で、ケース１０および冷却板４ｂが並ぶ方向から見て互いに重なり合う。したがって、積層部６２は、第１吸着部材３６および第２吸着部材３８により挟み込まれる。第１吸着部材３６と第２吸着部材３８とは、積層部６２を間に挟んだ状態で磁力によって互いに引きつけ合う。この結果、蓋体１０ｂおよびケース本体１０ａが冷却板４ｂに固定される。
【００５０】
つまり、本実施の形態では、第１吸着部材３６および第２吸着部材３８の磁気吸着力によって蓋体１０ｂが冷却板４ｂに固定されると同時に、同じ磁気吸着力によってケース本体１０ａも冷却板４ｂに固定される。これにより、ケース固定構造３４の構造の簡素化を図ることができる。
【００５１】
（実施の形態４）
実施の形態４は、ケース固定構造３４を除き、実施の形態１と共通の構成を有する。以下、本実施の形態について実施の形態１と異なる構成を中心に説明し、共通する構成については簡単に説明するか、あるいは説明を適宜省略する。図５は、実施の形態４に係るケース固定構造３４の断面図である。
【００５２】
本実施の形態のケース固定構造３４において、蓋体１０ｂは、磁力により互いに引き合う第１吸着部材３６および第２吸着部材３８によってケース本体１０ａに固定される。また、ケース本体１０ａは冷却板４ｂに載置される。したがって、凍結容器１４から蓋体１０ｂに伝わる熱は、ケース本体１０ａを介して冷却板４ｂに吸熱される。
【００５３】
具体的には、ケース固定構造３４は、第１吸着部材３６および第２吸着部材３８を備え、第１吸着部材３６が蓋体１０ｂに設けられ、第２吸着部材３８がケース本体１０ａに設けられる。例えば、蓋体１０ｂの折り返し部２７は、ケース本体１０ａにおける第１接触部２８の外側の領域に載置される。第１吸着部材３６は、折り返し部２７におけるケース本体１０ａとは反対側を向く面に固定される。第２吸着部材３８は、ケース本体１０ａにおける折り返し部２７とは反対側を向く面に固定される。
【００５４】
第１吸着部材３６と第２吸着部材３８とは、蓋体１０ｂによってケース本体１０ａの開口が塞がれた状態で、ケース１０および冷却板４ｂが並ぶ方向から見て重なり合う。第１吸着部材３６と第２吸着部材３８とは、折り返し部２７およびケース本体１０ａを間に挟んだ状態で磁力によって互いに引きつけ合う。この結果、蓋体１０ｂがケース本体１０ａに固定される。なお、第１吸着部材３６と第２吸着部材３８とは、ケース本体１０ａの全周にわたって設けられてもよいし、間欠的に設けられてもよい。
【００５５】
また、本実施の形態のケース固定構造３４は、磁力により互いに引き合う第６吸着部材６４および第７吸着部材６６を備える。第６吸着部材６４はケース本体１０ａに設けられ、第７吸着部材６６は冷却板４ｂに設けられる。
【００５６】
例えば、ケース本体１０ａは、ケース１０および冷却板４ｂが並ぶ方向から見て、折り返し部２７と重なる部分から外側に延出する脚部６８を有する。脚部６８は、冷却板４ｂのケース１０側を向く面に沿って延び、冷却板４ｂに当接する。したがって、本実施の形態の放熱接触部３２は、脚部６８に配置される。第６吸着部材６４は、脚部６８における冷却板４ｂとは反対側を向く面に固定される。第７吸着部材６６は、冷却板４ｂにおけるケース１０とは反対側を向く面に設けられる凹部４２に収容される。
【００５７】
第６吸着部材６４と第７吸着部材６６とは、ケース１０が冷却板４ｂに載置された状態で、ケース１０および冷却板４ｂが並ぶ方向から見て互いに重なり合う。第６吸着部材６４と第７吸着部材６６とは、脚部６８を間に挟んだ状態で磁力によって互いに引きつけ合う。この結果、ケース本体１０ａが冷却板４ｂに固定される。本実施の形態では、第６吸着部材６４および第７吸着部材６６がケース本体１０ａの外縁部を挟むため、ケース本体１０ａをより安定的に冷却板４ｂに固定することができる。なお、第６吸着部材６４と第７吸着部材６６とは、ケース本体１０ａの外縁部の全周にわたって設けられてもよいし、間欠的に設けられてもよい。
【００５８】
本実施の形態によれば、蓋体１０ｂとケース本体１０ａとの間の熱抵抗を小さくすることができる。これにより、凍結容器１４から蓋体１０ｂに伝わる熱を、ケース本体１０ａを介して冷却板４ｂに吸熱させやすくすることができる。よって、凍結容器１４の冷却効率を高めることができる。また、ケース本体１０ａと冷却板４ｂとは、第６吸着部材６４および第７吸着部材６６の磁力によって密着しているため、ケース本体１０ａと冷却板４ｂとの間の熱抵抗を小さくすることができる。これにより、凍結容器１４の冷却効率をより高めることができる。
【００５９】
以上、本発明の実施の形態について詳細に説明した。前述した実施の形態は、本発明を実施するにあたっての具体例を示したものにすぎない。実施の形態の内容は、本発明の技術的範囲を限定するものではなく、請求の範囲に規定された発明の思想を逸脱しない範囲において、構成要素の変更、追加、削除等の多くの設計変更が可能である。設計変更が加えられた新たな実施の形態は、組み合わされる実施の形態および変形それぞれの効果をあわせもつ。前述の実施の形態では、このような設計変更が可能な内容に関して、「本実施の形態の」、「本実施の形態では」等の表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【００６０】
互いに引き合う一対の吸着部材は、互いの間に固定対象となる部材が介在しないように設けられてもよい。つまり、一対の吸着部材は、互いに直に接触してもよい。
【００６１】
実施の形態は、以下に記載する項目によって特定されてもよい。
冷却板（４ｂ）を有する冷凍機（４）と、
ケース本体（１０ａ）および蓋体（１０ｂ）を有し、凍結対象物が充填された凍結容器（１４）を収容するとともに冷却板（４ｂ）に載置されるケース（１０）と、
磁力により互いに引き合う第１吸着部材（３６）および第２吸着部材（３８）と、を備え、
第１吸着部材（３６）および第２吸着部材（３８）の磁力によって、蓋体（１０ｂ）が冷却板（４ｂ）またはケース本体（１０ａ）に固定される、凍結装置（１）。
【符号の説明】
【００６２】
４  冷凍機、  ４ｂ  冷却板、  １０  ケース、  １０ａ  ケース本体、  １０ｂ  蓋体、  １４  凍結容器、  ３４  ケース固定構造、  ３６  第１吸着部材、  ３８  第２吸着部材、  ５０  第３吸着部材、  ５２  第４吸着部材、  ５４  第５吸着部材、  ５８  第１重なり部、  ６０  第２重なり部、  ６２  積層部、  ６４  第６吸着部材、  ６６  第７吸着部材。
【図１】
2020190387.tif 000003
【図２】
2020190387.tif 000004
【図３】
2020190387.tif 000005
【図４】
2020190387.tif 000006
【図５】
2020190387.tif 000007